【事件の表示】
　特願２００３−１６４４１１「流体射出システムおよびスキャンシステム」拒絶査定不服審判事件〔平成１６年　１月２９日出願公開、特開２００４−　２５８７０〕について、次のとおり審決する。
【結　論】
　本件審判の請求は、成り立たない。
【理　由】
１　手続の経緯 
　本願は、平成１５年６月９日（パリ条約による優先権主張平成１４年６月７日、米国）の特許出願であって、拒絶理由通知に応答して平成１８年１０月２３日付けで手続補正がされたが、平成１８年１１月２４日付けで拒絶査定がされ、これを不服として平成１９年２月２３日付けで審判請求がされたものである。 
　
２　本願発明の認定 
　本願の請求項１に係る発明は、平成１８年１０月２３日付けで補正された特許請求の範囲の請求項１に記載された次のとおりのものと認める。（以下「本願発明」という。 ） 
「【請求項１】
　第１の複数の光センサと、
　駆動すると流体が射出されるようにそれぞれが構成されている第１の複数の射出素子であって、前記第１の複数の光センサのそれぞれが前記射出素子のそれぞれに結合して該射出素子を駆動させる射出素子と、
　画像データを取り込んで媒体のデジタル画像を生成する第２の複数の光センサと
　を含む流体射出装置と、
　光線を発する光源と、
　前記流体射出装置を横切って前記光線をスキャンし、前記第１の複数の光センサに選択的に光を当て、それによって、光を当てた前記光センサに結合した前記射出素子を駆動させる制御システムであって、前記射出素子についての特性データに基づいて前記光線の強度またはパルス幅を変調するコントローラを含むものである制御システムと
　を含んでなる、流体射出システム。」
　　
３　引用発明の認定 
　原査定の拒絶の理由に引用された、本願の優先権主張の日前に頒布された刊行物である特開平２−２２５０４９号公報（以下「引用例」という。）には図示と共に次の記載事項がある。
　
記載事項１：第１頁左下欄第５〜７行に、特許請求の範囲として
「（１）少なくとも、走査光学系及び光歪み素子とを具備して成ることを特徴とする液体噴射ヘッド。」
　
記載事項２：第１頁左下欄第１３〜１５行に、産業上の利用分野として
「本発明はインクジェットプリンタに関し、更に具体的に言えば、インクジェットプリンタの液体噴射ヘッドに関する。」
　
記載事項３：第２頁右上欄第１〜１３行に、本発明の実施例として
「第１図に示す液体噴射ヘッドの動作の一例を示す。走査光学系１１２によりまず光歪み素子１０２に光を照射すると、該素子は歪み、該素子直下の圧力室に圧力を加える。これにより、インクは導通路１０５を介してノズルから噴射される。次に１０２への光照射を止め、光歪み素子１０３へ光を照射するようにすれば１０２の歪みは元に戻り、１０３は歪むため、導通路１０５を介したインク噴射は止み、導通路１０６を介してインクは噴射される。かくの如く走査光学系１１２を用い、光歪み素子に照射する光を順次走査することにより、第１図に示す如きライン液体噴射ヘッドが動作する。」
　
記載事項４：第２頁右上欄第１７〜左下欄第７行に、本発明の実施例として
「第１図に示す本発明の実施例においては光歪み素子側から光を入射する構成となっているが、もちろん、基板１０１に透明なもの（例えばガラス等）を用い、基板側から光を入射する構成にしてもよい。また、光歪み素子１０２乃至１０４をＰＬＺＴ等の圧電体膜により形成し、フォトリソグラフィー技術を用いてパターニングすることにより、該光歪み素子の平面的な微細化が可能となり、液体噴射ヘッドのマルチノズル化や、ノズルの高密度化が容易となる。」
　
記載事項５：第２頁左下欄第１３〜１８行に、本発明の実施例として
「光歪み素子１０２に光が照射されると１０２は歪み、振動板２０１も歪み、圧力室２０５に圧力が加わる。これにより、液体（インク）は導通路１０５、ノズル２０２を介して噴射孔２０４より噴射される。」
　
記載事項６：第２頁右下欄第９行〜第３頁左上欄第１行に、本発明の実施例として
「第３図に、本発明の実施例の液体噴射ヘッドにおける、半導体レーザとポリゴンミラーを用いた走査光学系の斜視図を示す。３０１は半導体レーザ、３０２はコリメート光学系、３０３及び３０６はシリンダーレンズ、３０４はポリゴンミラー３０５はｆθレンズである。半導体レーザ３０１を出たレーザービーム（画像、印字信号より変調されている）は、コリメート光学系３０２により平行光に直された後シリンダーレンズ３０３を経てポリゴンミラー３０４に導かれる。回転しているポリゴンミラー３０４により偏向されたレーザービームは、ｆθレンズ３０５及びシリンダーレンズ３０６により光歪み素子上に絞り込まれる。
　
記載事項７：第１図からは、上記記載事項３にいう「光歪み素子に照射する光を順次走査する」ように用いる「走査光学系１１２」が、基板１０１上に直線状に配置された光歪み素子１０２〜１０４の列とほぼ同じ幅に配置されていることが看取できる。
　
　記載事項３に「かくの如く走査光学系１１２を用い、光歪み素子に照射する光を順次走査することにより、」とあること、記載事項７、及び記載事項６に「半導体レーザとポリゴンミラーを用いた走査光学系」、「回転しているポリゴンミラー３０４により偏向されたレーザービームは、ｆθレンズ３０５及びシリンダーレンズ３０６により光歪み素子上に絞り込まれる。」とあることから、走査光学系１１２は、液体噴射ヘッドの基板１０１上の光歪み素子１０２〜１０４の列を横切って光線であるところのレーザービームをスキャンし、半導体レーザ１０３は該光線の光源である。
　
　記載事項５によれば、振動板２０１、圧力室２０５、導通路１０５、ノズル２０２、噴射孔２０４を含む部分（該部分の構成については第２図参照）は、光歪み素子１０２の歪みで駆動されて液体（インク）を噴射するから、以下「射出手段」と呼ぶことにする。
　光歪み素子１０２の歪みで射出手段の振動板２０１が歪むのであるから、射出手段と光歪み素子１０２は、機械的に結合している。
　
　記載事項６に「レーザービーム（画像、印字信号より変調されている）」とあるから、光線であるところのレーザービームは画像、印字信号によって変調されている。
　変調された光線を光歪み素子に当てることは、選択的に光を当てることといえる。
　光源である半導体レーザ１０３は液体噴射ヘッドに備わり、記載事項２によれば、液体噴射ヘッドはインクジェットプリンタに用いられるのであるから、インクジェットプリンタには、複数の光歪み素子に選択的に光を当て、光線を変調する制御手段が備わっていることになる。
　
　してみるに、引用例には、以下の発明が記載されていると認められる。
「複数の光歪み素子と、
　駆動するとインクが射出されるようにそれぞれが構成されている複数の射出手段であって、前記複数の光歪み素子のそれぞれが前記射出手段のそれぞれに結合して該射出手段を駆動させる射出手段と、
　光線を発する光源と、
　を含む液体噴射ヘッドと、
　前記液体噴射ヘッドの前記射出手段を横切って前記光線をスキャンし、前記複数の光歪み素子に選択的に光を当て、それによって、光を当てた前記光歪み素子に結合した前記射出手段を駆動させる制御手段であって、前記光線を変調する制御手段と
　を含んでなる、インクジェットプリンタ。」（以下「引用発明」という。）
　
 ４　対比 
　本願発明と引用発明とを比較する。
　
　引用発明の「複数の光歪み素子」は、光が照射されると歪むのであるから、本願発明の「第1の複数の光センサ」に相当する。
　
　引用発明の「インク」、「射出手段」は、本願発明の「流体」、「射出素子」に相当する。
　引用発明の「液体噴射ヘッド」を「光源」と「液体噴射ヘッドの光源以外の部分」に分けて考えれば、該「液体噴射ヘッドの光源以外の部分」は、本願発明の「画像データを取り込んで媒体のデジタル画像を生成する第２の複数の光センサ」を含んではいないものの、「複数の光センサ」（複数の光歪み素子）と「複数の射出素子」（複数の射出手段）を含む点で、本願発明の「流体出射装置」と共通している。
　
　引用発明の「制御手段」は、「前記複数の複数の光センサ（光歪み素子）に選択的に光を当て、それによって、光を当てた前記光センサ（光歪み素子）に結合した前記射出素子（射出手段）を駆動させる点、及び「前記光線を変調する」点で、本願発明の「制御システム」と共通している。
  引用発明の「インクジェットプリンタ」は、流体（インク）を射出するシステムであるから、本願発明の「流体射出システム」に相当する。
　
　すると、本願発明と引用発明とは、以下の点で一致し、以下の点で相違する。
＜一致点＞
「第１の複数の光センサと、
　駆動すると流体が射出されるようにそれぞれが構成されている第１の複数の射出素子であって、前記第１の複数の光センサのそれぞれが前記射出素子のそれぞれに結合して該射出素子を駆動させる射出素子と
　を含む流体射出装置と、
　光線を発する光源と、
　前記流体射出装置を横切って前記光線をスキャンし、前記第１の複数の光センサに選択的に光を当て、それによって、光を当てた前記光センサに結合した前記射出素子を駆動させる制御システムであって、前記光線を変調する制御システムと
　を含んでなる、流体射出システム。」
　
＜相違点＞
（相違点１）本願発明は「画像データを取り込んで媒体のデジタル画像を生成する第２の複数の光センサとを含む流体射出装置」と特定されているのに対して、引用発明は当該特定を有しない点。
　
（相違点２）本願発明は「前記射出素子についての特性データに基づいて前記光線の強度またはパルス幅を変調するコントローラを含むものである制御システム」と特定されているのに対して、引用発明は当該特定を有しない点。
　
５　判断
相違点１について
　インクジェットプリンタ等の画像形成装置の分野において、画像形成装置に複写機やファックスの機能を持たせるために、記録ヘッドに「画像データを取り込んで媒体のデジタル画像を生成する複数の光センサ」を備えることは周知技術である。
　例えば、原査定の拒絶の理由に引用された、本願の優先権主張の日前に頒布された刊行物である実願昭６３−１１４１４４号（実開平２−３６２５８号）のマイクロフィルムには
「２．実用新案登録請求の範囲
  サーマルヘツドと、イメージセンサー部とを設けて成る画像読取り・記録ヘツド装置において、
  上記サーマルヘツドの配線と、上記イメージセンサー部を構成するセンサーモジユールの配線とを同一の基板上に形成したことを特徴とする画像読取り・記録ヘツド装置。」
が記載されている。
　また、本願の優先権主張の日前に頒布された刊行物である特開平８−８０６０９号公報には
「【請求項１】    吐出口から被記録材へインクを吐出して記録を行うインクジェット記録手段において、イメージセンサが一体に設けられていることを特徴とするインクジェット記録手段。」
が記載され、
　本願の優先権主張の日前に頒布された刊行物である特開２０００−３４３６９８号公報には
「【請求項１】  液体を吐出する複数の吐出口と、
互いに接合されることでそれぞれ前記吐出口と連通する複数の液流路を構成する第１の基板および第２の基板と、電気エネルギーを前記液流路内の液体の吐出エネルギーに変換するために前記各液流路内に配された複数のエネルギー変換素子と、前記エネルギー変換素子の駆動条件を制御するための制御回路とを有する液体吐出ヘッドにおいて、
光学像を電気信号に変換するイメージセンサを具備し、
前記エネルギー変換素子および該エネルギー変換素子を制御する第１の制御回路が前記第１の基板上に形成され、
前記イメージセンサおよび該イメージセンサを制御する第２の制御回路が前記第２の基板上に形成されることを特徴とする液体吐出ヘッド。」
が記載されている。
　よって、記録ヘッドである液体噴射ヘッドを備える引用発明において、本願発明の相違点１に係る構成を備えることは、周知技術に基づいて、当業者が容易に想到し得たことである。
　
相違点２について
　複数のインク射出手段を備えたインクジェットヘッドを駆動する際に、各インク射出手段についての特性データに基づいて駆動を制御することは周知技術である。
　例えば、原査定で引用された、本願の優先権主張の日前に頒布された刊行物である特開２０００−１３５７８０号公報には
「【請求項１】  マルチノズルタイプまたはマルチヘッドタイプの記録ヘッドの各ノズルまたは各ヘッドに於けるパルス印加時間−濃度特性に予め定められた基準最低濃度レベル、基準最高濃度レベルに相当する印加時間ｔ、τをそれぞれ求め、
階調数をＫとするときの任意の階調Ｎにおける印加時間Ｔを、下記（数１）に基づいて算出し、
各ノズル又はヘッド毎に階調と印加時間のテーブルを作成し、
要求される階調に応じた時間を、各ノズルまたは各ヘッドの前記テーブルから求め、各ノズルまたは各ヘッドの電極にその時間、パルス電圧を印加することを特徴とする画像記録方法。」
が記載され、
　原査定で引用された、本願の優先権主張の日前に頒布された刊行物である特開２００１−５４９４８号公報には
「【請求項１】  複数の吐出口を具えた記録ヘッドを用い、前記各吐出口からインク滴を吐出して記録を行うインクジェット記録装置において、
前記吐出口からインク滴を吐出させる吐出手段と、
前記各吐出口の吐出特性に応じて、各吐出口ごとに設定された設定値を格納する記憶部を具え、
前記吐出手段は、吐出口ごとに前記記憶部から該当する設定値を読み出し、駆動パルスのパルス幅を該設定値とすることを特徴とするインクジェット記録装置。」
が記載されている。
　ただし、上記公報記載のものは、インク射出手段が電気信号で駆動されるから、電気信号の時間、パルス電圧及び駆動パルスのパルス幅を変えることで制御している。
　
　一方、光歪み素子の歪み量を変えるには、当てる光の光エネルギーや強度、パルス幅を変えればよいことは技術常識である。
　例えば、本願の優先権主張の日前に頒布された刊行物である特開平４−１６７９３号公報には以下の記載がある。
「光量制御部５４は、流量センサー８３で検出している流量値が設定値から外れると、光ファイバー８６を通じてマイクロバルブ８２の光歪みアクチュエータへ伝送している光エネルギーの強度を変調させ、設定値の流量が得られるようにマイクロバルブ８２をフィードバック制御する。」（第５頁左上欄第１９行〜右上欄第５行）
「光ファイバー８６を通じて伝送される光エネルギーが増加すると、第１１図（ｂ）（Ｃ）に示すように、光歪みアクチュエータ８８が湾曲して大きく曲がり（例えば、第１１図（ｂ）は光強度１０％、第１１図（ｃ）は光強度５ｏ％〕、筒体８７の内周と光歪みアクチュエータ８８の自由端の間の隙間が大きくなり、流量が増加する。」（第５頁左下欄第３〜９行）
「第１２図（ａ）の状態と第１２図（ｂ）の状態との中間においては、適当な流量を得ることができる。」（第５頁右下欄第９〜１１行）
　本願の優先権主張の日前に頒布された刊行物である特開平９−２８５１６１号公報には以下の記載がある。
「【００４０】また、光歪素子１に光を照射する光源２をパルス状の光を照射するものとして制御手段５は該パルス状の光の周波数、パルス幅デューティ、または強度を変えることにより、前記光歪素子１に投影される光の光量を変化させるようにしてもよい。例えば、当初光源２が光歪素子１に、供給光パルスの周波数、供給光パルスののパルス幅や光パルスのパルス強度デューティを変化させ、若しくはこれらを組み合わせて光歪素子に照射する光量を調節することができる。」
「【００４２】
【発明の効果】以上説明したように、本願発明によれば、光歪素子を駆動するに際して、光歪素子の伸び量の制御を精密に行なうことができる。」
　
　よって、光歪み素子を用いたインク射出手段の駆動を、各インク射出手段についての特性データに基づいて制御するには、光歪み素子に当てる光線の強度またはパルス幅をコントロールすればよいのであるから、引用発明において本願発明の相違点２に係る構成を備えることは、周知技術及び技術常識に基づいて、当業者が容易に想到し得たことである。
　
まとめ
　以上のことから、引用発明において本願発明の相違点１及び相違点２に係る構成を備えることは、周知技術及び技術常識に基づいて、当業者が容易に想到し得たことである。
　また、該構成を備えることによる効果も、引用発明、周知技術及び技術常識の奏する効果から、当業者が予測し得る程度のことである。
　したがって、本願発明は、引用発明、周知技術及び技術常識に基づいて、当業者が容易に発明をすることができたものである。
　　
６　むすび
　以上のとおり、本願発明は、引用発明、周知技術及び技術常識に基づいて、当業者が容易に発明をすることができたものであり、特許法第２９条第２項の規定により特許を受けることができないから、他の請求項に係る発明を検討するまでもなく、本願は拒絶されるべきものである。 
　よって、結論のとおり審決する。